(57)【要約】【課題】通信すべき相手局との通信に支障をきたすことがなく、且つ消費電力の低減が図られた通信装置ならびに通信方法を提供する。【解決手段】送信電力制御方法は、電波信号を受信するステップと、電波信号に第１の識別信号が含まれているか否かを判定するステップと、電波信号の受信電界強度を検出するステップと、検出された受信電界強度を用いて相手局との間の電波伝搬状態を求め、且つ電波伝搬状態に基づいて送信電波信号の送信電力を決定するステップと、通信を終了してから再度通信を開始するまでの時間間隔が事前に決められた時間よりも長い場合に、前の受信時に求められた電波伝搬状態を無効にするステップと、送信電波信号に第２の識別信号を重畳するステップと、送信電波信号の送信電力が、先のステップで決定した値になるように制御するステップとを備えている。【選択図】図１
2005192204.tif 000002
【特許請求の範囲】
【請求項１】
電波信号を受信し、前記電波信号を周波数変換および復調する受信機と、
前記電波信号に相手局との間で事前に決めておいた第１の識別信号が重畳されているか否かを判定する識別信号検出回路と、
送信電波信号を出力する送信機と、
前記受信機が受信した前記電波信号の受信電界強度を検出する電界強度検出回路と、
少なくとも前記電界強度検出回路により検出された前記受信電界強度を用いて前記相手局との間の電波伝搬状態を求め、且つ前記電波伝搬状態に基づいて前記送信機が出力する前記送信電波信号の送信電力を決定する送信電力決定回路と、
前記送信機が出力する前記送信電波信号の送信電力が、前記送信電力決定回路により決定された送信電力になるように制御する電力制御回路と、
前記送信機が出力する前記送信電波信号に相手局との間で事前に決めておいた第２の識別信号を重畳させる識別信号重畳回路とを備えているＦＭ無線装置。
【請求項２】
請求項１に記載のＦＭ無線装置において、
通信を終了してから再度通信を開始するまでの時間が、事前に決められた情報保持時間よりも長い場合に、前の受信時に求められた前記電波伝搬状態を無効とするタイマー回路をさらに備えていることを特徴とするＦＭ無線装置。
【請求項３】
請求項２に記載のＦＭ無線装置において、
前記識別信号検出回路は、前記電波信号に前記第１の識別信号が含まれていない場合、前記受信機からの信号出力を停止させることを特徴とするＦＭ無線装置。
【請求項４】
請求項２に記載のＦＭ無線装置において、
前記相手局が送信した前記電波信号の電界強度を示す第１の送信電力情報を復号する送信電力情報復号器と、
前記電波信号に含まれる受信ノイズの電力を検出する受信ノイズ検出回路と、
前記送信電力決定回路で決定された前記送信電波信号の送信電力を示す第２の送信電力情報を符号化し、符号化された前記第２の送信電力情報を前記送信機が出力する前記送信電波信号に重畳させる送信電力情報符号器とをさらに備え、
前記送信電力決定回路は、前記送信電力復号器によって復号された前記送信電力情報と前記受信ノイズ検出回路による検出結果とをさらに用いて前記相手局との間の電波伝搬状態を求めることを特徴とするＦＭ無線装置。
【請求項５】
請求項２に記載のＦＭ無線装置において、
前記送信機から出力された前記送信電波信号の前記相手局での受信電界強度を示す第１の受信電界強度情報を復号する電界強度情報復号器と、
前記電波信号に含まれる受信ノイズの電力を検出する受信ノイズ検出回路と、
前記受信機にて受信された前記電波信号の受信電界強度を示す第２の受信電界強度情報を符号化し、前記送信機が出力する前記送信電波信号に符号化された前記第２の受信電界強度情報を重畳させる送信電力情報符号器とをさらに備えていることを特徴とするＦＭ無線装置。
【請求項６】
電波信号を受信し、前記電波信号を周波数変換および復調する受信機と、
送信電波信号を出力する送信機と、
前記受信機が受信した前記電波信号の受信電界強度を検出する電界強度検出回路と、
少なくとも前記電界強度検出回路により検出された前記受信電界強度を用いて前記相手局との間の電波伝搬状態を求め、且つ前記電波伝搬状態に基づいて前記送信機が出力する前記送信電波信号の送信電力を決定する送信電力決定回路と、
通信を終了してから再度通信を開始するまでの間隔が、事前に決められた情報保持時間よりも長い場合に、前の受信時に求められた前記電波伝搬状態を無効とするタイマー回路と、
前記送信機が出力する前記送信電波信号の送信電力が、前記送信電力決定回路により決定された送信電力になるように制御する電力制御回路とを備えているＦＭ無線装置。
【請求項７】
相手局からの電波信号を周波数変換および復調する受信機と、前記相手局に送信するための送信電波信号を出力する送信機とを有するＦＭ無線装置における送信電力制御方法であって、
前記受信機が電波信号を受信するステップ（ａ）と、
前記ステップ（ａ）で受信された前記電波信号に相手局との間で事前に決めておいた第１の識別信号が含まれているか否かを判定するステップ（ｂ）と、
前記ステップ（ｂ）で前記電波信号に第１の識別信号が含まれていると判定された場合に、前記電波信号の受信電界強度を検出するステップ（ｃ）と、
少なくとも前記ステップ（ｃ）で検出された前記受信電界強度を用いて前記相手局との間の電波伝搬状態を求め、且つ前記電波伝搬状態に基づいて前記送信機から出力される前記送信電波信号の送信電力を決定するステップ（ｄ）と、
前記送信電波信号に前記相手局との間で事前に決めておいた第２の識別信号を重畳するステップ（ｅ）と、
前記送信機から出力される前記送信電波信号の送信電力が、前記ステップ（ｄ）で決定した値になるように制御するステップ（ｆ）とを備えている送信電力制御方法。
【請求項８】
請求項７に記載の送信電力制御方法において、
通信を終了してから再度通信を開始するまでの時間間隔が、事前に決められた情報保持時間よりも長い場合には、前の受信時に求められた前記電波伝搬状態を無効にするステップ（ｇ）をさらに備えていることを特徴とする送信電力制御方法。
【請求項９】
請求項８に記載の送信電力制御方法において、
前記ステップ（ｂ）で、前記電波信号に前記第１の識別信号が含まれていないと判定された場合に、前記受信機からの信号出力を停止させるステップ（ｈ）をさらに備えていることを特徴とする送信電力制御方法。
【請求項１０】
請求項８に記載の送信電力制御方法において、
前記電波信号には、前記相手局が送信した前記電波信号の送信電力を示す第１の送信電力情報が重畳されており、
前記送信電力制御方法は、
前記ステップ（ｄ）の前に、前記第１の送信電力情報を復号するステップ（ｉ）と、
前記ステップ（ｄ）の前に、前記電波信号に含まれる受信ノイズの電力を検出するステップ（ｊ）と、
前記ステップ（ｄ）で決定された前記送信電波信号の送信電力を示す第２の送信電力情報を符号化し、符号化された前記第２の送信電力情報を前記送信機から出力される前記送信電波信号に重畳させるステップ（ｋ）とをさらに備えており、
前記ステップ（ｄ）では、前記ステップ（ｉ）で復号された前記第１の送信電力情報と、前記ステップ（ｊ）で検出された前記受信ノイズの電力とをさらに用いて前記電波伝搬状態を求めることを特徴とする送信電力制御方法。
【請求項１１】
請求項８に記載の送信電力制御方法において、
前記電波信号には、前記送信機から出力された前記送信電波信号の前記相手局での受信電界強度を示す第１の受信電界強度情報が重畳されており、
前記送信電力制御方法は、
前記ステップ（ｄ）の前に、前記第１の受信電界強度情報を復号するステップ（ｌ）と、
前記ステップ（ｄ）の前に、前記電波信号に含まれる受信ノイズの電力を検出するステップ（ｍ）と、
前記受信機によって受信された前記電波信号の受信電界強度を示す第２の受信電界強度情報を符号化し、符号化された前記第２の受信電界強度情報を前記送信機から出力される前記送信電波信号に重畳させるステップ（ｎ）とをさらに備えており、
前記ステップ（ｄ）では、前記ステップ（ｌ）で復号された前記第１の受信電界強度情報と、前記ステップ（ｍ）で検出された前記受信ノイズの電力とをさらに用いて前記電波伝搬状態を求めることを特徴とする送信電力制御方法。
【請求項１２】
請求項８に記載の送信電力制御方法において、
前記ステップ（ｆ）では、ＦＭ無線装置の構成によって前記送信機から出力される前記送信電波信号の送信電力を、事前に決められた時間間隔ごとに、前記ステップ（ｄ）で決定された値にする場合と最大値にする場合とに交互に切り替えることを特徴とする送信電力制御方法。
【発明の詳細な説明】
【技術分野】
【０００１】
本発明は、ＦＭ無線装置の低消費電力化に関する。
【背景技術】
【０００２】
ＦＭ無線装置においては、動作可能時間を延長するために低消費電力化が進められている。消費電力の低減に対する従来の取り組みが、例えば特開平７−２１２３０３号公報に記載されている。ここでは、ＦＭ無線装置の低消費電力化を図るための電力制御方法について開示されている。
【０００３】
図１０は、従来のＦＭ無線装置を示すブロック図である。同図に示すＦＭ無線装置において、ベースバンド信号で変調した電波信号はアンテナ１０１によって受信され、送受信分波器１０２を通り、受信機１０３で周波数変換および復調される。受信機１０３で周波数変換および復調された電波信号およびベースバンド信号を用いて、受信電界強度は電界強度検出回路１０４により検出され、相手局の送信電力情報は送信電力情報復号器１０５により復号される。ここで、相手局の送信電力情報は、相手局のベースバンド信号で変調した電波信号についての情報を含む。送信電力決定回路１０６では、電界強度検出回路１０４により検出した受信電界強度と、送信電力情報復号器１０５により復号した相手局の送信電力情報とを用いて自局と相手局との電波伝搬状態を求め、その電波伝搬状態から送信電力決定回路１０６により決定された送信電力になるように電力制御回路１０７を制御し、送信電力情報符号器１０８により自局の送信電力情報を符号化する。この符号化された送信電力情報はベースバンド信号に加算され、送信機１０９および送受信分波器１０２を通り、アンテナ１０１によってベースバンド信号で変調した電波信号として相手局に送出される。
【特許文献１】特開平０７−２１２３０３号公報
【発明の開示】
【発明が解決しようとする課題】
【０００４】
しかしながら、従来のＦＭ無線装置は相手局の識別を行っておらず、通信相手ではない他局からの音声が出力されることによって不要な電力を消費する場合があった。このような不要な電力消費のため、従来のＦＭ無線装置では本来通信する相手との通信時間が短くなるおそれがあった。また、求めた電波伝搬状態の情報保持時間を考慮に入れていないため、自局の送信電力を決める場合には、現在の電波伝搬状態が前の通話時から変化している可能性があり、相手局との通信に支障をきたすおそれがあった。また、通信相手ではない他局が同じ周波数帯を使用したことによる受信ノイズを考慮に入れず、受信電界強度と相手局の送信電力情報とで自局の送信電力を決める場合には、送信電力を抑えすぎて本来通信する相手局との通信に支障をきたすおそれもあった。
【０００５】
上記の問題に鑑みて、本発明は、通信すべき相手局との通信に支障をきたすことがなく、且つ消費電力の低減が図られた通信装置ならびに通信方法を提供することを目的とする。
【課題を解決するための手段】
【０００６】
前記の目的を達成するため、本発明に係る第１のＦＭ無線装置は、ベースバンド信号で変調した電波信号を受信し、前記ベースバンド信号で変調した電波信号を周波数変換および復調する受信機と、前記ベースバンド信号で変調した電波信号を周波数変換および復調して生成されたベースバンド信号に前記相手局との間で事前に決めておいた第１の識別信号が重畳されているか否かを判定する識別信号検出回路と、ベースバンド信号で変調した電波信号を出力する送信機とを備えている。また、第１のＦＭ無線装置は、前記受信機が受信した前記ベースバンド信号で変調した電波信号の受信電界強度を検出する電界強度検出回路と、少なくとも前記電界強度検出回路により検出された前記受信電界強度を用いて前記相手局との間の電波伝搬状態を求め、且つ前記電波伝搬状態に基づいて前記送信機が出力する前記ベースバンド信号で変調した電波信号の送信電力を決定する送信電力決定回路と、前記送信機が出力する前記ベースバンド信号で変調した電波信号の送信電力が、前記送信電力決定回路により決定された送信電力になるように制御する電力制御回路と、前記送信機が出力する前記送信情報信号に相手局との間で事前に決めておいた第２の識別信号を重畳させる識別信号重畳回路とを備えている。
【０００７】
第１のＦＭ無線装置においては、識別信号検出回路が識別信号を認識することで、通信の相手局を認識できるので、例えば他局から出力される音声を出力しないようにして相手局との通信を安定に行えるようにし、無駄な電力消費を抑えることができる。
【０００８】
また、第１のＦＭ無線装置において、通信を終了してから再度通信を開始するまでの時間間隔が、事前に決められた情報保持時間よりも長い場合に、前の受信時に求められた前記電波伝搬状態を無効とするタイマー回路をさらに備えていることにより、相手局との間の電波伝搬状態の変化に応じて送信電力を変更することができる。このため、送信電力を適切な値に設定できるので、通信が途切れるという不具合が抑えられ、且つ余分な消費電力を抑えることも可能になる。
【０００９】
前記識別信号検出回路は、前記ベースバンド信号で変調した電波信号に前記第１の識別信号が含まれていない場合、前記受信機からの信号出力を停止させるよう設計されることが好ましい。これにより、他局から出力された信号が相手局との通信を妨げるのを防ぐことができる。
【００１０】
第１のＦＭ無線装置は、前記相手局が送信した前記ベースバンド信号で変調した電波信号の送信電力を示す第１の送信電力情報を復号する送信電力情報復号器と、前記ベースバンド信号で変調した電波信号に含まれる受信ノイズの電力を検出する受信ノイズ検出回路と、前記送信電力決定回路で決定された前記ベースバンド信号で変調した電波信号の送信電力を示す第２の送信電力情報を符号化し、符号化された前記第２の送信電力情報を前記送信機が出力する前記ベースバンド信号で変調した電波信号に重畳させる送信電力情報符号器とをさらに備えていてもよい。この場合、前記送信電力決定回路は、前記送信電力復号器によって復号された前記第１の送信電力情報と前記受信ノイズ検出回路による検出結果とをさらに用いて前記相手局との間の電波伝搬状態を求める。これにより、受信した電波信号の電界強度だけでなく受信ノイズの電力や相手局の送信電力情報などに基づいて送信電力が決定されるので、電波伝搬状態を従来よりも正確に把握することができ、通信状態を安定化させることができる。また、送信電力が必要以上に大きくならないので、消費電力も低減される。
【００１１】
あるいは、第１のＦＭ無線装置において、前記送信機から出力されたベースバンド信号で変調した電波信号の前記相手局での受信電界強度を示す第１の受信電界強度情報を復号する電界強度情報復号器と、前記電波信号に含まれる受信ノイズの電力を検出する受信ノイズ検出回路と、前記受信機にて受信された前記ベースバンド信号で変調した電波信号の受信電界強度を示す第２の受信電界強度情報を符号化し、前記送信機が出力する前記ベースバンド信号で変調した電波信号に符号化された前記第２の受信電界強度情報を重畳させる送信電力情報符号器とをさらに備えていてもよい。送信電力情報に代えて相手局における電波信号の受信電界強度情報を用いてもベースバンド信号で変調した電波信号の送信電力を必要十分な値に設定することができる。
【００１２】
本発明に係る第２のＦＭ無線装置は、ベースバンド信号を変調した電波信号を受信し、ベースバンド信号で変調した前記電波信号を復調する受信機と、送信電波信号を出力する送信機と、前記受信機が受信した前記ベースバンド信号で変調した前記電波信号の受信電界強度を検出する電界強度検出回路とを備えている。また、第２のＦＭ無線装置は、少なくとも前記電界強度検出回路により検出された前記受信電界強度を用いて前記相手局との間の電波伝搬状態を求め、且つ前記電波伝搬状態に基づいて前記送信機が出力する前記ベースバンド信号で変調した前記電波信号の送信電力を決定する送信電力決定回路と、通信を終了してから再度通信を開始するまでの時間間隔が、事前に決められた情報保持時間よりも長い場合に、前の受信時に求められた前記電波伝搬状態を無効とするタイマー回路と、前記送信機が出力する前記ベースバンド信号で変調した前記電波信号の送信電力が、前記送信電力決定回路により決定された送信電力になるように制御する電力制御回路とを備えている。
【００１３】
これにより、前の通信から所定の時間以上経過してから通信が再開する場合、タイマー回路が前の電波伝搬状態を無効とするので、電波伝搬状態の変化に応じた送信電力を設定することができる。そのため、相手局との通信が途切れる等の不具合を防ぐとともに、消費電力の低減を図ることができる。
【００１４】
本発明の送信電力制御方法は、相手局からのベースバンド信号で変調した電波信号を復号するための受信機と、前記相手局に送信するためのベースバンド信号で変調した電波信号を出力する送信機とを有するＦＭ無線装置における送信電力制御方法である。そして、本発明の送信電力制御方法は、前記受信機がベースバンド信号で変調した電波信号を受信するステップ（ａ）と、前記ステップ（ａ）で受信された前記ベースバンド信号で変調した電波信号に相手局との間で事前に決めておいた第１の識別信号が含まれているか否かを判定するステップ（ｂ）と、前記ステップ（ｂ）で前記ベースバンド信号で変調した電波信号に第１の識別信号が含まれていると判定された場合に、前記ベースバンド信号で変調した電波信号の受信電界強度を検出するステップ（ｃ）と、少なくとも前記ステップ（ｃ）で検出された前記受信電界強度を用いて前記相手局との間の電波伝搬状態を求め、且つ前記電波伝搬状態に基づいて前記送信機から出力される前記ベースバンド信号で変調した電波信号の送信電力を決定するステップ（ｄ）と、前記ベースバンド信号で変調した電波信号に前記相手局との間で事前に決めておいた第２の識別信号を重畳するステップ（ｅ）と、前記送信機から出力される前記ベースバンド信号で変調した電波信号の送信電力が、前記ステップ（ｄ）で決定した値になるように制御するステップ（ｆ）とを備えている。
【００１５】
この方法によれば、ステップ（ｂ）で第１の識別信号を認識しているので、他局から送信された情報を出力しないようにして他局からの情報によって通信が妨げられるのを防ぎ、消費電力の低減を図ることもできる。
【００１６】
通信を終了してから再度通信を開始するまでの時間間隔が、事前に決められた情報保持時間よりも長い場合には、前の受信時に求められた前記電波伝搬状態を無効にするステップ（ｇ）をさらに備えていることにより、相手局との間の電波伝搬状態の変化に応じた送信電力の設定を行うことができる。また、第２の識別信号を重畳することで、相手局においても自局以外からの情報によって通信が妨げられるのを防ぎ、且つ消費電力の低減を図ることができる。すなわち、本発明の送信電力制御方法によれば、通信システム全体としての通信の安定化と消費電力の低減とを図ることができる。
【００１７】
前記ステップ（ｂ）で、前記ベースバンド信号で変調した電波信号に前記第１の識別信号が含まれていないと判定された場合に、前記受信機からの信号出力を停止させるステップ（ｈ）をさらに備えていることが好ましい。
【００１８】
前記ベースバンド信号で変調した電波信号には、前記相手局が送信した前記ベースバンド信号で変調した電波信号の送信電力を示す第１の送信電力情報が重畳されており、前記送信電力制御方法は、前記ステップ（ｄ）の前に、前記第１の送信電力情報を復号するステップ（ｉ）と、前記ステップ（ｄ）の前に、前記ベースバンド信号で変調した電波信号に含まれる受信ノイズの電力を検出するステップ（ｊ）と、前記ステップ（ｄ）で決定された前記ベースバンド信号で変調した電波信号の送信電力を示す第２の送信電力情報を符号化し、符号化された前記第２の送信電力情報を前記送信機から出力される前記送信電波信号に重畳させるステップ（ｋ）とをさらに備えており、前記ステップ（ｄ）では、前記ステップ（ｉ）で復号された前記第１の送信電力情報と、前記ステップ（ｊ）で検出された前記受信ノイズの電力とをさらに用いて前記電波伝搬状態を求めることが好ましい。
【００１９】
また、前記電波信号には、前記送信機から出力された前記ベースバンド信号で変調した電波信号の前記相手局での受信電界強度を示す第１の受信電界強度情報が重畳されており、前記送信電力制御方法は、前記ステップ（ｄ）の前に、前記第１の受信電界強度情報を復号するステップ（ｌ）と、前記ステップ（ｄ）の前に、前記電波信号に含まれる受信ノイズの電力を検出するステップ（ｍ）と、前記受信機によって受信された前記電波信号の受信電界強度を示す第２の受信電界強度情報を符号化し、符号化された前記第２の受信電界強度情報を前記送信機から出力される前記送信電波信号に重畳させるステップ（ｎ）とをさらに備えており、前記ステップ（ｄ）では、前記ステップ（ｌ）で復号された前記第１の受信電界強度情報と、前記ステップ（ｍ）で検出された前記受信ノイズの電力とをさらに用いて前記電波伝搬状態を求めることが好ましい。
【００２０】
前記ステップ（ｆ）では、ＦＭ無線装置の構成によって、前記送信機から出力される前記ベースバンド信号で変調した電波信号の送信電力を、事前に決められた時間間隔ごとに、前記ステップ（ｄ）で決定された値にする場合と最大値にする場合とに交互に切り替えることにより、自局および相手局の消費電力を抑えることができる。
【発明の効果】
【００２１】
本発明のＦＭ無線装置および送信電力制御方法によれば、通信を安定して行いつつ、消費電力の低減を図ることができる。
【発明を実施するための最良の形態】
【００２２】
（第１の実施形態）
以下、本発明の第１の実施形態に係るＦＭ無線装置の電力制御方法について、図面を参照しながら説明する。
【００２３】
−ＦＭ無線装置の構成−
図１は、本発明の第１の実施形態に係るＦＭ無線装置を示すブロック図である。
【００２４】
同図に示すように、本実施形態のＦＭ無線装置は、ベースバンド信号で変調した電波信号を受信するアンテナ１と、アンテナ１に接続された送受信分波器２と、送受信分波器２を介してベースバンド信号で変調した電波信号を受信し、ベースバンド信号で変調した電波信号を周波数変換および復調する受信機３と、受信機３が受信したベースバンド信号で変調した電波信号に相手局との間で事前に決めておいた識別信号が重畳されているか否かを判定する識別信号検出回路１０と、受信機３が受信したベースバンド信号で変調した電波信号の電界強度（すなわち、受信電界強度）を検出する電界強度検出回路４と、受信機３が受信したベースバンド信号で変調した電波信号に含まれる相手局の送信電力情報を復号する送信電力情報復号器５と、受信機３が受信した電波信号に含まれる受信ノイズを検出する受信ノイズ検出回路１１とを備えている。送受信分波器２は受信と送信とを同じアンテナ１で行う場合に必要となる。なお、ＦＭ無線装置の場合、ベースバンド信号は音声信号を含んでいる。
【００２５】
また、本実施形態のＦＭ無線装置は、電界強度検出回路４により検出されたベースバンド信号で変調した電波信号の電界強度と、送信電力情報復号器５により復号した相手局の送信電力情報と、受信ノイズ検出回路１１により検出された受信ノイズの電力とを用いて自局と相手局との電波伝搬状態を求め、その電波伝搬状態から送信電力を決定する送信電力決定回路６と、事前に決められた情報保持時間よりも通信間隔が長い場合に前の通信時の電波伝搬状態を無効とするタイマー回路１２とを備えている。
【００２６】
さらに、本実施形態のＦＭ無線装置は、相手局に送信するためのベースバンド信号で変調した電波信号を出力する送信機９と、送信機９から出力されるベースバンド信号で変調した電波信号の送信電力を送信電力決定回路６により決定された送信電力に応じた値に制御する電力制御回路７と、ベースバンド信号で変調した電波信号の送信電力を示す送信電力情報を符号化して送信機９から出力されるベースバンド信号で変調した電波信号に重畳させる送信電力情報符号器８と、相手局との間で事前に決められた識別信号を送信機９から出力されるベースバンド信号で変調した電波信号に重畳させる識別信号重畳回路１３とを備えている。ここで、「ベースバンド信号で変調した電波信号」とは、ベースバンド信号に送信電力情報や識別信号が重畳され変調した信号を意味するものとする。なお、送信電力情報は、送信電力決定回路６から送信電力情報符号器８に送られる。また、送信機９から出力されるベースバンド信号で変調した電波信号に重畳させる識別信号は、受信電波に含まれる識別信号と同じものであってもよいし、異なるものであってもよい。なお、本実施形態のＦＭ無線装置において、受信機３、送信機９、電界強度検出回路４、送信電力情報復号器５、受信ノイズ検出回路１１、送信電力決定回路６、タイマー回路１２、電力制御回路７および送信電力情報符号器８などは、ＲＦ（Radio Frequency)ＩＣ上に形成される。
【００２７】
以上で説明したＦＭ無線装置における情報の受信から送信までの流れの概略は次の通りである。
【００２８】
まず、図１に示すように、アンテナ１で受信されたベースバンド信号で変調した電波信号は送受信分波器２を通り、受信機３で周波数変換および復調される。ベースバンド信号で変調した電波信号が通信（通話）の相手局から送信されたベースバンド信号を含む場合には、そのベースバンド信号に相手局との間で事前に決めておいた識別信号と、相手局が出力した信号の電界強度を示す送信電力情報とが重畳されている。この識別信号および送信電力情報は、通常ベースバンド信号（音声信号）とは異なる周波数帯の信号である。ここで、受信機３が受信したベースバンド信号で変調した電波信号に識別信号が含まれている場合、識別信号検出回路１０が当該識別信号を検出し、周波数変換および復調されたＩＦ信号およびベースバンド信号を受信機３から電界強度検出回路４、送信電力情報復号器５および受信ノイズ検出回路１１にそれぞれ出力させる。また、ベースバンド信号で変調した電波信号に相手局の識別信号が含まれていない場合、識別信号検出回路１０は受信機３をスタンバイ状態にして受信機３の信号出力を停止させる。
【００２９】
次いで、ベースバンド信号で変調した電波信号に相手局の識別信号が含まれていれば、電波信号の受信電界強度が電界強度検出回路４によって検出され、その検出結果が送信電力決定回路６へと出力される。また、受信機３から出力されたベースバンド信号で変調した電波信号に含まれる送信電力情報が、送信電力情報復号器５で復号されて送信電力決定回路６へと出力される。さらに、ベースバンド信号で変調した電波信号に含まれる受信ノイズの電力が受信ノイズ検出回路１１によって検出され、その検出結果は送信電力決定回路６へと出力される。
【００３０】
次に、送信電力決定回路６では、電界強度検出回路４によって検出された電波信号の受信電界強度と、送信電力情報復号器５によって復号された相手局の送信電力情報と、受信ノイズ検出回路１１によって検出された受信ノイズの電力とを用いて自局と相手局との電波伝搬状態を求める。また、送信電力決定回路６は、自局と相手局との間の電波伝搬状態をもとに自局から出力するベースバンド信号で変調した電波信号の送信電力を決定する。ここで、通信間隔、すなわち通信を終了してから再度通信を開始するまでの時間が所定の情報保持時間よりも長いか否かをタイマー回路１２により判定する。
【００３１】
通信間隔が情報保持時間より長い場合、タイマー回路１２は前の通信時に求められた電波伝搬状態を無効にする。この場合、新たに求められた電波伝搬状態をもとにして送信電力決定回路６により送信電力が決定される。そして、決定された送信電力に応じて、電力制御回路７が送信機９から出力されるベースバンド信号で変調した電波信号の送信電力を制御する。これにより、通信（通話）再開時に通信が途切れるなどの不具合を防ぐことができる。
【００３２】
一方、通信間隔が情報保持時間以下であれば、前の通信時に送信電力決定回路６が求めた電波伝搬状態が引き続き用いられ、それに基づいて送信電力が設定される。
【００３３】
また、送信電力情報符号器８は、自局の送信電力情報を符号化し、送信機９から出力されるベースバンド信号で変調した電波信号にこの送信電力情報を重畳する。さらに、ベースバンド信号で変調した電波信号には識別信号重畳回路１３によって識別信号が重畳される。
【００３４】
次に、送信機９から出力されたベースバンド信号で変調した電波信号は送受信分波器２を経てアンテナ１から送信される。
【００３５】
−ＦＭ無線装置の構成回路および構成部の説明−
以下に、本実施形態のＦＭ無線装置の特徴部分となる部分または回路について説明する。
【００３６】
図４は、本発明の各実施形態に係るＦＭ無線装置に用いられる識別信号検出回路１０の構成例および各部での信号の波形を示す図である。同図に示すように、受信機３で復調されたベースバンド信号を受けるローパスフィルター（ＬＰＦ）２１と、ＬＰＦ２１からの出力を受けるＡ／Ｄコンバータ２２と、Ａ／Ｄコンバータ２２からの出力された電波信号に相手局の識別信号が重畳されているか否かを判定し、その判定結果を受信機３へと出力する判定回路２３とを有している。
【００３７】
本発明の識別信号検出回路１０においては、受信機３で復調されたベースバンド信号に重畳された識別信号をＬＰＦ２１を用いて検出する。ＬＰＦ２１を通過した識別信号はＡ／Ｄコンバータ２２によってデジタル信号に変換された後、判定回路２３において事前に相手局との間で決めておいたコードと比較される。判定回路２３は、受信した識別信号が事前に相手局との間で決めておいたコードと一致すると、音声の出力許可を受信機３に出す。
【００３８】
また、ここで示す例では送信電力情報が識別信号と同じく音声信号やノイズよりも低い周波数帯にある。このため、送信電力情報復号器５を識別信号検出回路１０と同様にＬＰＦ、Ａ／Ｄコンバータおよび判定回路を含む構成としている。判定回路では、送信電力の大きさに応じていくつかのコードを用意し、コード化された送信電力情報がどのコードと一致するかを判定し、その判定結果を受信機３に出力する。これにより、受信機３で復調されたベースバンド信号に重畳された相手局の送信電力情報をＬＰＦで検出し、判定回路２３で相手局の送信電力を導出することができる。
【００３９】
また、図５は、本発明の各実施形態に係るＦＭ無線装置に用いられる電界強度検出回路４の構成例および各部での信号の波形を示す図である。同図に示すように、本発明の電界強度検出回路４は、受信機３で周波数変換されたＩＦ信号を受け、ＩＦ信号を増幅する増幅回路２４ａと、増幅回路２４ａの出力を受ける全波整流回路２５ａおよび増幅回路２４ｂと、増幅回路２４ｂの出力を受ける全波整流回路２５ｂと、全波整流回路２５ａの出力と全波整流回路２５ｂの出力とを受ける加算回路２６と、加算回路２６の出力を受ける積分回路２７とを有している。なお、増幅回路および全波整流回路の数は２個ずつに限定されない。
【００４０】
本発明の電界強度検出回路４では、受信機３で周波数変換されたＩＦ信号を増幅回路２４ａおよび増幅回路２４ｂで増幅する。増幅回路２４ａおよび増幅回路２４ｂの出力は、全波整流回路２５ａおよび全波整流回路２５ｂを経由して加算回路２６で加算され、積分回路２７に入力される。次いで、積分回路２７が受信電界強度を導出する。
【００４１】
また、図６は、本発明の各実施形態に係るＦＭ無線装置に用いられる受信ノイズ検出回路１１の構成例および各部での信号の波形を示す図である。同図に示すように、本発明の受信ノイズ検出回路１１は、受信機３で復調されたベースバンド信号を受け、ベースバンド信号（ノイズ信号）を通すバンドパスフィルター（ＢＰＦ）２８と、ＢＰＦ２８の出力を受ける全波整流回路２９と、全波整流回路２９の出力を受ける積分回路３０とを有している。
【００４２】
本発明の受信ノイズ検出回路１１では、受信機３で復調されたベースバンド信号（ノイズ信号）成分をＢＰＦ２８で検出する。ノイズ信号成分は、全波整流回路２９を経由して、積分回路３６に入力される。次いで、積分回路３０が受信ノイズの電力を示す受信ノイズ情報を導出する。
【００４３】
次に、図７は、本発明の各実施形態に係るＦＭ無線装置に用いられるタイマー回路の構成例を示す図である。送信電力決定回路６は、通信開始時および通信終了時に同じレベルの基準信号を出力する。同図に示すように、本発明のタイマー回路１２は、送信電力決定回路６より通信開始時を示す基準信号を受け、該基準信号に通信間隔分の大きさの信号を加えて出力する通信間隔重畳回路３１と、通信間隔重畳回路３１の出力と送信電力決定回路６より受けた前の通信終了時を示す基準信号との差から通信間隔を算出し、当該通信間隔と事前に決められた情報保持時間とを比較する比較回路３２とを有している。
【００４４】
図７に示すように、本実施形態の電力制御方法の一例では、前の通信（通話）終了時のベースバンド信号で変調した電波信号の送信電力と次の通信開始時のベースバンド信号で変調した電波信号の送信電力とは同じレベルになる場合がある。すなわち、自局からの送信で通信が終了し、その後相手局から通信開始された場合、通信開始時および通信終了時に同じレベルの基準信号を出力する。その後、通信間隔重畳回路３１が前の通信終了時から次の通話開始時までの通信間隔を信号の大きさに換算し、通信間隔を示す大きさの信号を前の通話終了時の基準信号に加えて比較回路３２に出力する。次に、比較回路３２は、事前に決められた情報保持時間と通信間隔とを比較した結果、情報保持時間よりも通信間隔が長い場合に前の通信時の電波伝搬状態を無効とする。
【００４５】
図８は、本実施形態に係るＦＭ無線装置に用いられる送信電力情報符号器８の構成例を示す図である。同図に示すように、本実施形態の送信電力情報符号器８は、送信情報信号に事前に決められた識別信号を重畳させる加算回路３３を有している。加算回路３３は、通話者の音声信号であるベースバンド信号に送信電力情報を重畳させ、ベースバンド信号で変調した電波信号を送信機９で出力する。ここで、送信電力情報は、送信機９が出力するベースバンド信号で変調した電波信号の送信電力を示す情報である。
【００４６】
また、図示しないが、本実施形態のＦＭ無線装置においては、識別信号重畳回路１３も加算回路を有している。この加算回路を用いてベースバンド信号に識別信号を重畳させる。この識別信号は、相手局が本実施形態のＦＭ無線装置と同様の構成を有している場合に、自局から通信を認識するのに用いられるので、通信システム全体としての省電力化に寄与する。なお、図４〜図８で示した回路構成は本実施形態を構成する回路の一例であって、上述の機能を別の構成で実現しても構わない。
【００４７】
−本実施形態の電力制御方法の説明−
図９は、送信電力決定回路６および電力制御回路７で実施する本実施形態の電力制御方法を説明するための図である。
【００４８】
図９の上図に示すように、本実施形態の送信電力決定回路６においては、受信電界強度情報と受信ノイズ情報とから自局における受信電波信号のＣ／Ｎ比（以下、「自局のＣ／Ｎ比」と略記）を算出し、自局のＣ／Ｎ比と所望Ｃ／Ｎ比とを比較する。ここで、Ｃ／Ｎ比は、信号の電力とノイズの電力との比のことであり、大きい方がノイズの比率が小さいことを示す。また、送信電力決定回路６は、その比較結果と相手局の送信電力情報とを用いて次の通信時に送信機９から出力するベースバンド信号で変調した電波信号の送信電力を決定する。そして、電力制御回路７がベースバンド信号で変調した電波信号の送信電力を決定された値に制御する。
【００４９】
以下に、相手局から自局へ通信を開始した場合の電力制御の一具体例についての式を示す。なお、相手局も本実施形態のＦＭ無線装置と同様の構成を有しており、また、１回目の通信時の相手局の送信電力は最大値であるとする。
「１回目の通信時の自局の送信電力」
＝「１回目の通信時の相手局の送信電力〔最大値〕」
＋(所望Ｃ／Ｎ比)−(自局のＣ／Ｎ比)、
「２回目の通信時の相手局の送信電力」
＝「１回目の通信時の自局の送信電力 」＋(所望Ｃ／Ｎ比)−(相手局のＣ／Ｎ比)   [ただし、(所望Ｃ／Ｎ比)−(相手局のＣ／Ｎ比)≧０の場合。]
「２回目の通信時の相手局の送信電力」＝「１回目の通信時の自局の送信電力」  [ただし、(所望Ｃ／Ｎ比)−(相手局のＣ／Ｎ比)＜０の場合。]
２回目以降の通信時における相手局および自局の送信電力は、上述したのと同様の方法により決定される。また、共に図１に示すような構成のＦＭ無線装置である自局と相手局との間で通信を行う通信システムの場合、相手局における送信電力の制御も上述の方法と同様に行われる。
【００５０】
−本実施形態のＦＭ無線装置および電力制御方法の作用・効果−
本発明の第１の実施形態に係るＦＭ無線装置は、識別信号検出回路１０によって相手局を識別し、他局から出力された電波信号を受信しても音声として出力されないようになっている。このため、不要な電力消費を抑えることができる上、本来通信する相手局との通信時間が短くなるという不具合の発生を防ぐことができる。
【００５１】
また、受信ノイズの電力を受信ノイズ検出回路１１で検出することにより、受信電界強度だけでなく受信ノイズを考慮に入れて自局から出力するベースバンド信号で変調した電波信号の送信電力を決定することができる。具体的には、自局のＣ／Ｎ比と所望Ｃ／Ｎ比とを比較した結果と相手局の送信電力情報とを、次の通信時に自局から出力するベースバンド信号で変調した電波信号の送信電力に反映させることで、送信電力を抑えすぎて本来通信する相手局との通信に支障をきたすという不具合をを防ぐことができる。
【００５２】
さらに、本実施形態のＦＭ無線装置では、タイマー回路１２により求められた電波伝搬状態の情報保持時間が考慮されている。すなわち、事前に決めた時間よりも通信間隔が長い場合に前の通信時の電波伝搬状態を無効にすることで、電波伝搬状態の変化に応じた送信電力を設定できる。そのため、相手局との通信に支障をきたすという問題を防ぐことができ、且つ消費電力の無駄を省くことができる。特に、新たな電波伝搬状態に基づいた送信電力を設定することで、通信間隔が所定時間以上空いた場合の通信再開時の通信を安定して行うことができる。
【００５３】
また、送信電力情報符号器８を設けて自局のベースバンド信号に送信電力情報を重畳させているので、相手局と自局とが共に送信電力情報信号復号器および受信ノイズ検出回路１１を備えている場合、相手局から出力される電波信号の送信電力もＣ／Ｎ比を考慮したものであるため、相手局と自局の双方でより確実に情報信号を受信することができる。
【００５４】
なお、本実施形態のＦＭ無線装置において、タイマー回路１２を設けずに、通信再開時に一時的に送信電力を、通信状態が悪い場合でも通信可能となるような大きさに設定してもよい。そして、その後に新たに求められた電波伝搬状態をもとにした送信電力を適用してもよい。このような制御によっても通信の再開時の通信状態を安定化させることができる。
【００５５】
（第２の実施形態）
−ＦＭ無線装置の構成の説明−
図２は、本発明の第２の実施形態に係るＦＭ無線装置を示すブロック図である。同図において、図１に示すＦＭ無線装置と同じ回路または構成部分については同一の符号を付して詳細な説明は省略する。
【００５６】
図２に示すように、本実施形態のＦＭ無線装置が第１の実施形態に係るＦＭ無線装置と異なるのは、図１に示す送信電力情報復号器５に代えて受信電界強度情報を復号する電界強度情報復号器１４が設けられている点と、送信電力情報符号器８に代えて電界強度情報符号器１５が設けられている点である。ここで、受信電界強度情報とは、相手局が受信した電波信号の電界強度を示す情報のことである。また、電界強度情報符号器１５は、自局が受信したベースバンド信号で変調した電波信号の電界強度を示す電界強度情報を符号化する。
【００５７】
また、電界強度情報復号器１４は、例えば図４に示す識別信号検出回路１０と同様に、ＬＰＦと、Ａ／Ｄコンバータと、判定回路とを有する構成とすることができる。また、電界強度情報符号器１５は、例えば図８に示す送信電力情報符号器８と同じように、電界強度情報をベースバンド信号に重畳させるためのミキサを有する構成とすることができる。
【００５８】
図２に示すように、本実施形態のＦＭ無線装置において、ベースバンド信号で変調した電波信号はアンテナ１で受信された後、送受信分波器２を通り、受信機３で周波数変換および復調される。このベースバンド信号で変調した電波信号が通信の相手局から送信されたものである場合には、ベースバンド信号で変調した電波信号に相手局との間で事前に決めておいた識別信号と、受信電界強度情報とが重畳されている。この識別信号および受信電界強度情報は、通常音声信号とは異なる周波数帯の信号である。ここで、受信機３が受信したベースバンド信号で変調した電波信号に識別信号が含まれている場合、識別信号検出回路１０が当該識別信号を検出し、周波数変換および復調されたＩＦ信号およびベースバンド信号を受信機３から電界強度検出回路４、電界強度情報復号器１４および受信ノイズ検出回路１１にそれぞれ出力させる。また、ベースバンド信号で変調した電波信号に相手局の識別信号が含まれていない場合、識別信号検出回路１０は受信機３をスタンバイ状態にして信号出力を停止させる。
【００５９】
次いで、ベースバンド信号で変調した電波信号に相手局の識別信号が含まれていれば、電波信号の受信電界強度が電界強度検出回路４によって検出され、その検出結果が送信電力決定回路６へと出力される。また、電界強度情報復号器１４によって復号された受信電界強度情報、および受信ノイズ検出回路１１による受信ノイズの検出結果は共に送信電力決定回路６へと出力される。
【００６０】
次に、送信電力決定回路６では、電界強度検出回路４によって検出された電波信号の受信電界強度と、電界強度情報復号器１４によって復号された相手局における受信電界強度と、受信ノイズ検出回路１１によって検出された受信ノイズの電力とを用いて自局と相手局との電波伝搬状態を求める。ここで求めた電波伝搬状態は、タイマー回路１２によって無効にされるまで保持される。また、送信電力決定回路６は、自局と相手局との間の電波伝搬状態をもとに自局から出力するベースバンド信号で変調した電波信号の送信電力を決定する。
【００６１】
ここで、通信間隔が情報保持時間より長い場合、タイマー回路１２は前の通信時に求められた電波伝搬状態を無効にする。この場合、新たに求められた電波伝搬状態をもとにして送信電力決定回路６により送信電力が決定される。そして、決定された送信電力に応じて、電力制御回路７が送信機９から出力されるベースバンド信号で変調した電波信号の送信電力を制御する。これにより、通信（通話）再開時に通信が途切れるなどの不具合を防ぐことができる。あるいは、タイマー回路１２が前の電波伝搬状態を無効にした直後には相手局の通信状態が悪い場合でも通信可能となるように送信電力を十分な大きさに設定されていてもよい。そして、その後に新たに求められた電波伝搬状態をもとにした送信電力を適用してもよい。
【００６２】
一方、通信間隔が情報保持時間以下であれば前の通信時に送信電力決定回路６が求めた電波伝搬状態が引き続き用いられ、それに基づいて送信電力が設定される。
【００６３】
次に、電界強度情報符号器１５によって自局でのベースバンド信号で変調した電波信号の受信電界強度情報が符号化され、ベースバンド信号に重畳される。また、事前に相手局との間で決めておいた識別信号を識別信号重畳回路１３により情報信号に重畳される。そして、識別信号、電界強度情報および音声信号を含むベースバンド信号で変調した電波信号が送信機９から送信され、送受信分波器２、アンテナ１を経て自局から相手局へ送出される。
【００６４】
以下に、相手局から自局へ通信を開始した場合の電力制御の一具体例についての式を示す。なお、相手局も本実施形態のＦＭ無線装置と同様の構成を有しており、また、１回目の通信時の相手局の送信電力は最大値であるとする。
「１回目の通信時の自局の送信電力」
＝「１回目の通信時の相手局の送信電力〔最大値〕」
＋(所望Ｃ／Ｎ比)−(自局のＣ／Ｎ比)、
「２回目の通信時の相手局の送信電力」
＝「１回目の通信時の相手局の送信電力」−(自局の受信電界強度)＋(相手局の受信電界強度)＋(所望Ｃ／Ｎ比)−(相手局のＣ／Ｎ比)   [ただし、(所望Ｃ／Ｎ比)−(相手局のＣ／Ｎ比)≧０の場合。]
「２回目の通信時の相手局の送信電力」
＝「１回目の通信時の相手局の送信電力」−(自局の受信電界強度)＋(相手局の受信電界強度)  （ただし、(所望Ｃ／Ｎ比)−(相手局のＣ／Ｎ比)＜０の場合。）
２回目以降の通信時における相手局および自局の送信電力は、上述したのと同様の方法により決定される。
【００６５】
−本実施形態のＦＭ無線装置および電力制御方法の作用・効果−
本実施形態のＦＭ無線装置によると、識別信号検出回路１０によって相手局を識別し、他局から出力された電波信号を受信しても音声として出力されないようになっている。このため、不要な電力消費を抑え、本来通信する相手局との通信時間が短くなるという不具合の発生を防ぐことができる。
【００６６】
また、電界強度情報復号器１４によって相手局の受信状態についての情報を復号することができるので、受信ノイズ以外に電界強度情報を考慮に入れて自局から出力するベースバンド信号で変調した電波信号の送信電力を決定することができる。このように、送信電力情報に代えて電界強度情報を用いても、自局と相手局との間の通信状態に応じた送信電力を設定することができる。
【００６７】
また、本実施形態のＦＭ無線装置では、第１の実施形態のＦＭ無線装置と同様にタイマー回路１２により求められた電波伝搬状態の情報保持時間が考慮されている。すなわち、事前に決めた時間よりも通信間隔が長い場合に前の通信時の電波伝搬状態を無効にすることで、電波伝搬状態の変化に応じた送信電力を設定できる。そのため、相手局との通信に支障をきたすという不具合を防ぐことができ、且つ消費電力の無駄を省くことができる。
【００６８】
（第３の実施形態）
−ＦＭ無線装置の構成の説明−
図３は、本発明の第３の実施形態に係るＦＭ無線装置を示すブロック図である。本実施形態のＦＭ無線装置は、第１および第２の実施形態に係るＦＭ無線装置よりも回路構成が簡略化されているため、製造コストが削減されていることを特徴とする。
【００６９】
すなわち、本実施形態のＦＭ無線装置は、アンテナ１と、送受信分波器２と、受信機３と、識別信号検出回路１０と、電界強度検出回路４と、送信電力決定回路６と、タイマー回路１２と、電力制御回路７と、送信機９と、識別信号重畳回路１３とを備えている。各回路および各構成部の機能は第１の実施形態に係るＦＭ無線装置と同じであるので、これら機能の詳細な説明は省く。
【００７０】
図３に示すように、本実施形態のＦＭ無線装置において、ベースバンド信号で変調した電波信号はアンテナ１で受信された後、送受信分波器２を通り、受信機３で周波数変換および復調される。この電波信号が通信の相手局から送信されたものである場合には、電波信号に相手局との間で事前に決めておいた識別信号が重畳されている。ここで、受信機３が受信したベースバンド信号で変調した電波信号に識別信号が含まれている場合、識別信号検出回路１０が当該識別信号を検出し、周波数変換および復調されたＩＦ信号およびベースバンド信号を受信機３から電界強度検出回路４に出力させる。また、ベースバンド信号で変調した電波信号に相手局の識別信号が含まれていない場合、識別信号検出回路１０は受信機３をスタンバイ状態にして受信機３の信号出力を停止させる。
【００７１】
次いで、ベースバンド信号で変調した電波信号に相手局の識別信号が含まれていれば、電波信号の受信電界強度が電界強度検出回路４によって検出され、その検出結果が送信電力決定回路６へと出力される。
【００７２】
次いで、送信電力決定回路６が、電界強度検出回路４により検出した受信電界強度を用いて自局と相手局との間の電波伝搬状態を求める。ここで、タイマー回路１２は、事前に決めておいた情報保持時間よりも通信間隔が長い場合に前の通信時に求められた電波伝搬状態を無効とする。さらに、タイマー回路１２は、事前に決めておいた時間間隔毎に自局の送信出力状態を最大値と制御可能とに交互に切り替える。また、送信電力決定回路６が、自局の送信出力状態および電波伝搬状態からベースバンド信号で変調した電波信号の送信電力を決定する。そして、電力制御回路７は、送信機９の送信電力が決定された値になるよう制御する。また、識別信号重畳回路１３により事前に相手局との間で決めておいた識別信号を重畳される。そして、識別信号、電界強度情報および音声信号を含むベースバンド信号で変調した電波信号が送信機９から送信され、送受信分波器２、アンテナ１を経て自局から相手局へ送出される。
【００７３】
以下に、相手局から自局へ通信を開始した場合の電力制御の一具体例についての式を示す。なお、相手局も本実施形態のＦＭ無線装置と同様の構成を有しており、また、１回目の通信時の相手局の送信電力は最大値であるとする。
「１回目の通信時の自局の送信電力」
＝「１回目の通信時の相手局の送信電力〔最大値〕」
＋(所望受信電界強度)−(自局の受信電界強度)、
「２回目の通信時の相手局の送信電力」
＝「１回目の通信時の相手局の送信電力〔最大値〕」、
２回目以降の通信時における自局の送信電力は、１回目の通信時における自局の送信電力と同様の方法により決定される。
【００７４】
−本実施形態のＦＭ無線装置および電力制御方法の作用・効果−
本実施形態のＦＭ無線装置によると、識別信号検出回路１０によって相手局を識別し、他局から出力された電波信号を受信しても音声として出力されないようになっている。このため、不要な電力消費を抑え、本来通信する相手局との通信時間が短くなるという不具合の発生を防ぐことができる。
【００７５】
また、本実施形態のＦＭ無線装置では、第１の実施形態のＦＭ無線装置と同様にタイマー回路１２により求められた電波伝搬状態の情報保持時間が考慮されている。すなわち、事前に決めた時間よりも通信間隔が長い場合に前の通信時の電波伝搬状態を無効にすることで、電波伝搬状態の変化に応じた送信電力を設定できる。そのため、相手局との通信に支障をきたすという不具合を防ぐことができる。
【００７６】
さらに、本実施形態のＦＭ無線装置においては、事前に決めた時間間隔毎に自局の送信出力を最大値と電波伝搬状態に応じて制御された値とに交互に切り替えることにより、送信電力情報や受信ノイズ情報を考慮に入れ、自局および相手局の電力消費を抑えつつ、相手局との通信を安定して行えるようになっている。すなわち、自局の受信電界強度と所望受信電界強度比較してその結果を次の通信時の自局の送信電力に反映させることで、送信電力を抑えすぎて相手局との通信が不安定になるという課題を解決することができる。また、余分な消費電力の削減を図ることもできる。
【００７７】
さらに、本実施形態のＦＭ無線装置は構成が簡略化されているので、上述の効果を得ることができる上、製造コストを低減することもできる。
【産業上の利用可能性】
【００７８】
本発明のＦＭ無線装置は、ＦＭ波を用いた自局と相手局との間の無線通信に有用である。
【図面の簡単な説明】
【００７９】
【図１】本発明の第１の実施形態に係るＦＭ無線装置の構成例を示すブロック図である。
【図２】本発明の第２の実施形態に係るＦＭ無線装置の構成例を示すブロック図である。
【図３】第３の実施形態に係るＦＭ無線装置の構成例を示すブロック図である。
【図４】本発明の各実施形態に係るＦＭ無線装置に用いられる識別信号検出回路の構成例および各部での信号の波形を示す図である。
【図５】本発明の各実施形態に係るＦＭ無線装置に用いられる電界強度検出回路の構成例および各部での信号の波形を示す図である。
【図６】本発明の各実施形態に係るＦＭ無線装置に用いられる受信ノイズ検出回路の構成例および各部での信号の波形を示す図である。
【図７】本発明の各実施形態に係るＦＭ無線装置に用いられるタイマー回路の構成例を示す図である。
【図８】本発明の第１の実施形態に係るＦＭ無線装置に用いられる送信電力情報符号器の構成例を示す図である。
【図９】送信電力決定回路および電力制御回路で実施する本発明の電力制御方法を説明するための図である。
【図１０】従来のＦＭ無線装置の構成例を示すブロック図である。
【符号の説明】
【００８０】
１      アンテナ
２      送受信分波器
３      受信機
４      電界強度検出回路
５      送信電力情報復号器
６      送信電力決定回路
７      電力制御回路
８      送信電力情報符号器
９      送信機
１０    識別信号検出回路
１１    受信ノイズ検出回路
１２    タイマー回路
１３    識別信号重畳回路
１４    電界強度情報復号器
１５    電界強度情報符号器
２１    ＬＰＦ
２２    Ａ／Ｄコンバータ
２３    判定回路
２４ａ、２４ｂ  増幅回路
２５ａ、２５ｂ、２９  全波整流回路
２６、３３    加算回路
２７、３０、３６    積分回路
２８    ＢＰＦ
３１    通信間隔重畳回路
３２    比較回路
【図１】
2005192204.tif 000003
【図２】
2005192204.tif 000004
【図３】
2005192204.tif 000005
【図４】
2005192204.tif 000006
【図５】
2005192204.tif 000007
【図６】
2005192204.tif 000008
【図７】
2005192204.tif 000009
【図８】
2005192204.tif 000010
【図９】
2005192204.tif 000011
【図１０】
2005192204.tif 000012